(57)【特許請求の範囲】
【請求項１】
交流端子と直流端子とを備えて交流電力を直流電力に変換する順変換装置と、
交流端子と直流端子とを備えて直流電力を交流電力に変換する逆変換装置と、
交流端子と直流端子とを備え且つ選択されると交流電力を直流電力に変換する順変換及び直流電力を交流電力に変換する逆変換のいずれの動作もする順逆変換装置と、
前記順変換装置の前記直流端子、前記逆変換装置の前記直流端子及び前記順逆変換装置の前記直流端子がそれぞれ電気的に接続された蓄電池と、
前記順変換装置、前記逆変換装置及び前記順逆変換装置のそれぞれの前記直流端子及び前記交流端子に現れる複数の電圧に基づいて前記各変換装置の動作状態を監視する監視装置とを具備し、
前記監視装置は、保守・点検のために取外す前記変換装置の前記交流端子及び前記直流端子に電圧が印加されているか否かを表示手段に表示し且つ前記複数の電圧に基づいて、前記変換装置の取外しの必要性を判定すると、その旨と取外しの対象となる前記変換装置の前記交流端子及び前記直流端子に印加されている電圧を前記表示手段に表示するように構成され、
更に前記各変換装置には、それぞれの前記交流端子及び直流端子に電圧が印加されていることを表示する表示部が設けられていることを特徴とする無停電電源装置。
【請求項２】
前記監視装置は、前記交流端子及び前記直流端子に印加されている電圧が、ゼロであることを確認後に前記変換装置の取外しを実施することを警告する注意事項を前記表示手段に表示するように構成されている請求項１に記載の無停電電源装置。
【請求項３】
前記順変換装置の前記交流端子は第１の切換器を介して交流電源に接続され、
前記逆変換装置の前記交流端子は第２の切換器を介して負荷に接続され、
前記順逆変換装置の前記交流端子は前記第１の切換器を介して前記交流電源に接続され且つ前記第２の切換器を介して前記負荷に接続されており、
前記順変換装置の前記直流端子、前記逆変換装置の前記直流端子及び前記順逆変換装置の前記直流端子に前記蓄電池の前記直流端子の一端が開閉器を介して接続されており、
前記監視装置は、前記取外しの対象となる前記変換装置の前記交流端子及び前記直流端子に電圧が印加されているか否かを前記表示手段に表示して、取外しの対象となる前記変換装置に対応する前記第１及び第２の切換器並びに前記開閉器の開閉状況を表示することを特徴とする請求項１に記載の無停電電源装置。
【請求項４】
交流端子と直流端子とを備えて交流電力を直流電力に変換する順変換装置と、
交流端子と直流端子とを備えて直流電力を交流電力に変換する逆変換装置と、
交流端子と直流端子とを備え且つ選択されると交流電力を直流電力に変換する順変換及び直流電力を交流電力に変換する逆変換のいずれの動作もする順逆変換装置と、
前記順変換装置の前記直流端子、前記逆変換装置の前記直流端子及び前記順逆変換装置の前記直流端子に直流端子の一端がそれぞれ開閉器を介して接続された蓄電池と、
前記順変換装置、前記逆変換装置及び前記順逆変換装置のそれぞれの前記直流端子及び前記交流端子に現れる複数の電圧に基づいて前記各変換装置の動作状態を監視する監視装置とを具備し、
前記順変換装置の前記交流端子は第１の切換器を介して交流電源に接続され、
前記逆変換装置の前記交流端子は第２の切換器を介して負荷に接続され、
前記順逆変換装置の前記交流端子は前記第１の切換器を介して前記交流電源に接続され且つ前記第２の切換器を介して前記負荷に接続されており、
前記監視装置は、前記複数の電圧に基づいて、前記変換装置の取外しの必要性を判定し、取外しの対象となる前記変換装置の前記交流端子及び前記直流端子に印加されている電圧を表示手段に表示し且つ前記印加されている電圧に基づいて、前記変換装置が安全に取外し可能か否かを判定してその結果を前記表示手段に表示するように構成され、
更に前記各変換装置には、それぞれの前記交流端子及び直流端子に電圧が印加されていることを表示する表示部が設けられている無停電電源装置。
【請求項５】
前記各変換装置の前記交流端子及び前記直流端子は接続線の着脱が容易なコネクタ構造を有していることを特徴とする請求項１または４に記載の無停電電源装置。
【発明の詳細な説明】
【０００１】
【発明の属する技術分野】
本発明は、無停電電源装置に関するものである。
【０００２】
【従来の技術】
特開平１１−２７８７７号公報には、順変換装置、逆変換装置及び順逆変換装置を備えて構成され、順変換装置及び逆変換装置が故障した場合には、順逆変換
装置を故障した変換装置として機能させる従来の無停電電源装置が開示されてい
る。各変換装置は、切換器を用いて電源及び負荷に接続され、開閉器を介して蓄電池の直流端子に接続されている。この無停電電源装置では、変換装置のどれか１つが故障した場合には、切換器と開閉器とを作動させて故障した変換装置を給電経路から切り離し、残りの変換装置を用いて給電経路を確保する。そのため１つの変換装置が故障した場合や、また定期点検の目的のために、無停電状態で所定の変換装置を取外すことができる。
【０００３】
【発明が解決しようとする課題】
しかしながら、この従来の無停電電源装置では、無停電状態を維持するため、取外しの対象となっている変換装置の交流端子及び直流端子に電圧が現れている場合がある。そのため取り外す変換装置に電圧が印加していることを知らずに変換装置の取外しを行うと、作業者が感電するおそれがある。
【０００４】
本発明の目的は、保守点検及び修理の際に各変換装置の取外しをより安全に行うことができる無停電電源装置を提供することにある。
【０００５】
本発明の他の目的は、保守点検及び修理の際に各変換装置の着脱を簡単に且つ迅速に行うことができる無停電電源装置を提供することにある。
【０００６】
【課題を解決するための手段】
本発明の無停電電源装置は、交流端子と直流端子とを備えて交流電力を直流電力に変換する順変換装置と、交流端子と直流端子とを備えて直流電力を交流電力に変換する逆変換装置と、交流端子と直流端子とを備え且つ選択されると交流電力を直流電力に変換する順変換及び直流電力を交流電力に変換する逆変換のいずれの動作もする順逆変換装置と、順変換装置の直流端子、逆変換装置の直流端子及び順逆変換装置の直流端子に直流端子の一端がそれぞれ電気的に接続された蓄電池と、順変換装置、逆変換装置及び順逆変換装置のそれぞれの直流端子及び交流端子に現れる複数の電圧に基づいて各変換装置の動作状態を監視する監視装置とを具備している。
【０００７】
本発明においては、保守・点検のために取外す変換装置の交流端子及び直流端子に電圧が印加されているか否かを表示手段に表示するように監視装置を構成する。電圧が印加されているか否かを表示するために、電圧値そのものを表示手段に表示してもよいし、また電圧の有無だけを表示手段に表示するようにしてもよく、更に電圧の有無を文字、図形、文章などで表示するようにしてもよい。このように表示すると、作業者は監視装置の表示手段の表示を見て、取外す変換装置の交流端子及び直流端子に電圧が印加されているか否かを確認できるので、変換装置を交換する際に、作業者が感電する可能性が大幅に低下する利点がある。
【０００８】
なお監視装置を、複数の電圧に基づいて、変換装置の取外しの必要性を判定すると、その旨と取外しの対象となる変換装置の交流端子及び直流端子に印加されている電圧を表示手段に表示するように構成すると、取外しの対象を明確に認識することができて、より作業性が改善される。
【０００９】
また交流端子及び直流端子に印加されている電圧がゼロであることを確認後に変換装置の取外しを実施することを警告する注意事項を表示手段に表示するように監視装置を構成してもよい。このようにすると注意事項の存在により、作業者が電圧の有無の確認を忘れて作業を遂行する可能性が少なくなって、安全性が更に増す。
【００１０】
より具体的な装置では、順変換装置の交流端子が第１の切換器を介して交流電源に接続され、逆変換装置の交流端子が第２の切換器を介して負荷に接続され、順逆変換装置の交流端子が第１の切換器を介して交流電源に接続され且つ第２の切換器を介して負荷に接続される。そして順変換装置の直流端子、逆変換装置の直流端子及び順逆変換装置の直流端子に蓄電池の直流端子の一端が開閉器を介して接続されている。この場合に、監視装置は、取外しの対象となる変換装置の前記交流端子及び前記直流端子に電圧が印加されていか否かを前記表示手段に表示して、取外しの対象となる変換装置に対応する（入力側及び出力側に位置する）第１及び第２の切換器の一方並びに開閉器の開閉状況を表示するようにしてもよい。このようにすると電圧の有無と切換器及び開閉器の開閉状況の両方から、変換装置の取外し条件の成否を判断できるので、安全性が高まる。
【００１１】
なお複数の電圧に基づいて、変換装置の取外しの必要性を判定し、取外しの対象となる変換装置の交流端子及び直流端子に印加されている電圧に基づいて、変換装置が安全に取外し可能か否かを判定してその結果を表示手段に表示するように監視装置を構成すれば、安全性は更に増加する。
【００１２】
監視装置を設けるだけでなく、各変換装置のそれぞれの交流端子及び直流端子に電圧が印加されていることを表示する表示部を各変換装置に設けてもよい。このような表示部を設けると、取外し作業を行う際に、再度電圧の有無を確認できるので、監視装置を見忘れた作業者に電圧の有無を表示することができて、更に安全性が増す。
【００１３】
また安全性と作業性を高めるために、各変換装置の交流端子及び直流端子と切換器または開閉器との接続に、接続線の着脱が容易なコネクタ構造を採用するのが好ましい。コネクタ構造を採用すると、各変換装置の着脱を容易且つ迅速に行うことができる。
【００１４】
【発明の実施の形態】
以下図面を参照して本発明の実施の形態の一例について説明する。図１は、本発明の無停電電源装置の実施の形態の一例の構成を示すブロック図である。図１に示す無停電電源装置は、常時は交流電源１の電力を後述する負荷１１に供給し、交流電源１が停電したときには、後述する蓄電池９を電源として負荷１１に電力を供給する。この無停電電源装置は、交流端子３ａ及び直流端子３ｂを備えて交流電源１からの交流電力を直流電力に変換する順変換装置３と、直流端子５ａ及び交流端子５ｂを備え直流電力を交流電力に変換する逆変換装置５と、交流端子７ａ及び直流端子７ｂを備え交流電力を直流電力に変換する順変換動作及び直流電力を交流電力に変換する逆変換動作のいずれの変換動作も行う順逆変換装置７（以下これらを単に変換装置と言う場合もある）を備えている。順変換装置３の直流端子３ｂ、逆変換装置５の直流端子５ａ及び順逆変換装置７の直流端子７ｂは、３台の開閉器ＳＤ１〜ＳＤ３を介して蓄電池９の直流端子９ａに接続されている。３台の開閉器ＳＤ１〜ＳＤ３は、常時は閉状態にあり、対応する変換装置を取り外す際にはそれぞれ開状態に置かれる。
【００１５】
また順変換装置３の交流端子３ａ及び順逆変換装置７の交流端子７ａは、第１の切換器１３に接続されている。第１の切換器１３は、常時は順変換装置３の交流端子３ａに交流電源１からの交流電力を供給し、順逆変換装置７の交流端子７ａには交流電源１からの交流電力を供給しない。そして順変換装置３を取り外す際には、順逆変換装置７の交流端子７ａに交流電源１からの交流電力を供給し、順変換装置３の交流端子３ａを交流電源１から切り離すように切り換わる。
【００１６】
また逆変換装置５の交流端子５ｂ及び順逆変換装置７の交流端子７ａは、第２の切換器１５に接続されている。第２の切換器１５は、負荷１１に給電を行う際には、常時は逆変換装置５の交流端子（出力端子）５ｂを負荷１１に接続しており、順逆変換装置７の交流端子７ａは負荷１１に接続しない。そして第２の切換器１５は、負荷１１に給電を行う場合で、逆変換装置５が故障しているときには、順逆変換装置７の交流端子７ａを負荷１１に接続し、逆変換装置５の交流端子５ｂを負荷１１に接続しないように切り換わる。
【００１７】
順変換装置３、逆変換装置５及び順逆変換装置７の各交流端子と各直流端子に現れる電圧は、電圧測定点ＶＭ１〜ＶＭ６から監視装置１７へと送られる。監視装置１７は、計測部１９と、データ処理部２１と表示手段２３とを備えて、各変換装置の運転状況を監視するとともに、監視結果に基づいて警告や必要な作業手順を表示する。計測部１９には、電圧測定点ＶＭ１〜ＶＭ６からの電圧だけでなく、図示しないその他のセンサからの各種の測定データが入力されている。計測部１９には電圧測定点ＶＭ１〜ＶＭ６の電圧を測定する電圧測定手段が内蔵されており、また計測部１９には、各変換装置の運転状況を監視するために必要な各部の電流等を測定する電流測定手段等も内蔵されている。データ処理部２１は、計測部１９から入力された計測データを、各種の演算処理に適したデジタルデータに変換する。データ処理部２１では、変換装置の運転状態の判定処理や、表示手段２３への表示に必要な表示データの作成処理等の各種のデータ処理が行われている。例えば、電圧測定点ＶＭ１〜ＶＭ６の電圧等に基づいて、変換装置３，５，７のいずれかに異常が発生して、点検修理（取外し）が必要になっていることの判定を行ってその旨を表示手段２３に表示したり、さらに取外しが必要な変換装置の交流端子及び直流端子に印加されている電圧を表示手段２３に表示するためのデータ処理が、データ処理部２１で実行される。
【００１８】
この例では、監視装置１７は、少なくとも保守・点検等のために取外す変換装置の交流端子及び直流端子に電圧が印加されているか否かを表示手段に表示するように構成されている。なお電圧が印加されているか否かは、電圧値そのものを表示手段２３に表示してもよいし、また電圧の有無だけを表示手段２３に表示するようにしてもよく、更に電圧の有無を文字、図形、文章などで表示するようにしてもよい。
【００１９】
図２は、表示手段２３の表示画面の一例を示している。この例では、監視装置１７が、複数の電圧に基づいて、変換装置の取外しの必要性を判定すると、その旨を「インバータユニット停止」と「インバータユニットは停止しました。」の文字表示で表示するデータ処理をデータ処理部２１で行っている。ここでインバータユニットとは逆変換装置５のことである。またこの例では、同時に監視装置１７が、作業者に「交流電圧・直流電圧のゼロを確認後、取扱説明書に従いユニットの保守・点検を実施してください。」の注意事項を画面に表示させるためのデータ処理をデータ処理部２１で行っている。さらにこの例では、同時に監視装置１７が、取外しの対象となっている変換装置の交流端子に印加されている電圧及び直流端子に印加されている電圧の電圧値を画面に表示させるためのデータ処理をデータ処理部２１で行っている。監視装置１７が、これらの表示を行うように構成されていると、作業者は表示手段２３の画面表示を見て、取外しの対象となる変換装置とその変換装置の交流端子及び直流端子に電圧が印加されているか否かを確認することができる。言いかえると、変換装置を取外す際に、その変換装置に対応して開けれていなければならに切換器及び開閉器の開閉状態を確認することができる。そのため表示手段２３の表示画面で交流電圧及び直流電圧ともに０Ｖになっているときにのみ、取外し作業をすれば、作業者が感電するおそれは大幅に低下する。
【００２０】
交流電圧及び直流電圧の表示に変えて、交流電圧及び直流電圧がともに０Ｖであるときには、取外しが可能と判断し、画面表示に例えば「インバータユニットを取外すことができます。」と表示したり、逆電圧が印加されているときには、「第１の切換器が閉じていてインバータユニットを取外すことは危険です。」との表示をしてもよい。
【００２１】
次に図１に示した無停電電源装置の各変換装置を保守点検する場合に、各変換装置を取外し装着の手順について、各変換装置毎に説明する。まず逆変換装置５の取外し作業について説明する。最初に第２の切換器１５の逆変換装置５との切換部を開き、第２の切換器１５の順逆変換装置７の切換部を閉じる。このようにすると逆変換装置５から負荷１１への交流電力の供給が停止し、待機運転していた順逆変換装置７から負荷１１への交流電力の給電が開始される。このとき監視装置１７の表示手段２３には、操作手順を示すガイダンスとともに逆変換装置（インバータユニット）５の交流端子５ｂの電圧値が０Ｖであることが表示される。次に、逆変換装置５の直流端子５ａに接続されている開閉器ＳＤ２を開いて、逆変換装置５を電気的に分離させる。すると監視装置１７の表示手段２３には、操作手順を示すガイダンスとともに逆変換装置５の直流端子５ａの電圧値が０Ｖであることが表示される。監視装置１７の表示手段２３の表示例は、図２に示す通りである。図２では逆変換装置５の交流端子５ｂの電圧値（交流電圧）及び直流端子５ａの電圧値（直流電圧）が、０Ｖであることが画面２９に数字で表示されており、また作業者が次に行う作業手順が文字で表示されている。これにより、作業者は監視装置１７の表示手段２３において逆変換装置５の交流端子５ｂの電圧値及び直流端子５ａの電圧値が０Ｖと表示されていることを確認した後に、無停電電源装置本体から逆変換装置５を取り外す。
【００２２】
修理・点検が終了した逆変換装置５を無停電電源装置本体に取り付ける手順は以下のとおりである。まず開いている開閉器ＳＤ２を閉じ、第２の切換器１５の切換部の逆変換装置５側が開いている状態で始動・停止などの動作や出力電圧の確認を行う。監視装置１７の表示手段２３には、操作手順を示すガイダンスとともに逆変換装置５の交流端子５ｂの電圧値及び直流端子５ａの電圧値が表示される。次に、正常動作が確認された逆変換装置５は、第２の切換器１５の順逆変換装置７側の切換部を閉じる。これにより逆変換装置５から負荷１１に給電が開始され、順逆変換装置７は待機運転となり、無停電電源装置は通常の運転状態に戻る。
【００２３】
順変換装置３の取外しと装着は以下のように行う。まず順変換装置３の交流端子３ａに接続されている第１の切換器１３の切換部を開き、第１の切換器１３の順逆変換装置７に接続された切換部を閉じる。これによりそれまで待機運転していた順逆変換装置７が順変換装置として変換動作をするようになる。順逆変換装置７は交流電源１からの給電を受けて、蓄電池９を充電し、順変換装置３の変換動作は停止する。このとき監視装置１７の表示手段２３には、操作手順を示すガイダンスとともに順変換装置３の交流端子３ａの電圧値が０Ｖであることが表示される。次に開閉器ＳＤ１を開いて順変換装置３を電気的に切り離す。監視装置１７の表示手段２３には操作手順を示すガイダンスとともに順変換装置３の直流端子３ｂの電圧値が０Ｖであることが表示される。作業者は監視装置１７の表示手段２３において順変換装置３の交流端子３ａの電圧値及び直流端子３ｂの電圧値が０Ｖであることを確認した後に、無停電電源装置本体から逆変換装置３を取り外す。
【００２４】
修理・点検が終了した順変換装置２を無停電電源装置本体に取付ける手順は以下のとおりである。まず第１の切換器１３の順変換装置３側に接続される切換部を閉じ、開閉器ＳＤ１を開いた状態で始動・停止などの動作や出力電圧の確認を行う。監視装置１７の表示手段２３には、操作手順を示すガイダンスとともに順変換装置３の交流端子３ａの電圧値及び直流端子３ｂの電圧値が表示される。順変換装置３の正常動作を確認した後、開閉器ＳＤ１を閉じ、第１の切換器１３の順逆変換装置７に接続された切換部を開くとともに順変換装置３に接続された切換部を閉じる。すると交流電源１から順変換装置３に給電が開始され、順逆変換装置７は待機運転となり、無停電電源装置は通常の運転状態に戻る。
【００２５】
順逆変換装置７の取外しと装着は、以下のように行う。無停電電源装置が通常の運転状態にあるときは、順逆変換装置７は逆変換動作による待機運転を行っている。したがって順逆変換装置７が故障を起こして運転が停止しても、無停電電源装置の給電状態は変化しない。したがって、順逆変換装置７の変換動作が停止すると、監視装置１７の表示手段２３には操作手順を示すガイダンスとともに順逆変換装置７の交流端子７ａの電圧値が０Ｖであることが表示される。次に開閉器ＳＤ３を開いて順逆変換装置を電気的に切り離す。監視装置１７の表示手段２３には操作手順を示すガイダンスとともに順逆変換装置７の直流端子７ｂの電圧値が０Ｖであることが表示される。作業者は監視装置１７の表示手段２３において順逆変換装置７の交流端子７ａの電圧値及び直流端子７ｂの電圧値が０Ｖであることを確認した後、無序電電源装置本体から順逆変換装置７を取外す。
【００２６】
修理・点検が終了した順逆変換装置７を無停電電源装置本体に取付ける手順は以下のとおりである。まず第１の切換器１３の順逆変換装置７に接続された切換部を閉じ、開閉器ＳＤ３が開いている状態で順逆変換装置としての始動・停止などの動作や出力電圧の確認を行う。そして第１の切換器１３の順逆変換装置７に接続された切換部を開き、開閉器ＳＤ３を閉じ、順逆変換装置７に接続された第２の切換器１５の切換部が開いている状態で逆変換装置としての始動・停止などの動作や出力電圧の確認を行う。監視装置１７の表示手段２３には操作手順を示すガイダンスとともに順逆変換装置７の交流端子７ａの電圧値及び直流端子７ｂの電圧値が表示される。そして順逆変換装置７は待機運転となり無停電電源装置は通常の運転状態に戻る。
【００２７】
上述したように、本発明の無停電電源装置は各変換装置の交流端子及び直流端子に印加されている電圧値の有無を表示する監視装置を備えている。作業者はこの監視装置で取外そうとする変換装置の電圧値が０Ｖであることを確認してから作業するので感電などのおそれがない。
【００２８】
上述した実施の形態では、無停電電源装置の各変換装置の交流端子及び直流端子の電圧値は、計測部１９によって測定された後に監視装置１７の表示手段２３に文字情報として表示される。これに対して各変換装置に発光素子等の表示部を設けて各交流端子及び直流端子の電圧値を光で表示させてもよい。例えば各交流端子及び直流端子に電圧がある場合は発光ダイオードまたはランプが点灯するように構成し、各交流端子及び直流端子の電圧値が０Ｖであるときは発光ダイオードまたはランプが消灯するように構成する。図３はこのような交流端子及び直流端子に電圧が印加されているか否かを表示する表示部を設けた変換装置の一例の回路構成を示すブロック図である。図２において２５は変換装置、２７は変換回路、Ｄｌはダイオード、Ｒｌ，Ｒ２は抵抗器、Ｃ１は電解コンデンサ、ＬＤ１は直流端子の電圧状態を光で表示する例えば発光ダイオードからなる表示素子、ＬＤ２は交流端子の電圧状態を光で表示する発光ダイオードからなる表示素子、ＣＮ１〜５は後述するコネクタ構造を有する着脱用接続装置である。
【００２９】
図３の変換装置２５の構成及び動作を図１に示した逆変換装置５に適用した場合を例に説明する。まず第２の切換器１５の逆変換装置５に接続された切換部を開き、順逆変換装置７に接続された切換部を閉じる。このようにすると待機運転していた順逆変換装置７から負荷１１に交流電力が給電され始め、逆変換装置５の変換動作が停止する。このとき逆変換装置５の交流端子の電圧値は０Ｖになるので表示素子としての発光ダイオードＬＤ２は消灯する。次に開閉器ＳＤ２を開いて逆変換装置５を電気的に分離させる。電気的に分離された直後の逆変換装置５の直流端子には残存電荷が残っているが、この残存電荷は逆変換装置５の内部にある電解コンデンサＣ１により徐々に放電されていく。逆変換装置５の直流端子側の表示素子として発光ダイオードＬＤ１は残存電荷の放電に伴って徐々に消灯していき、放電が終了すると完全に消灯する。作業者は逆変換装置５の交流端子側の発光ダイオードＬＤ２及び直流端子側の発光ダイオードＬＤｌが消灯していることで、逆変換装置５の交流端子及び直流端子の電圧が０Ｖであることが分かるので、無停電電源装置本体から逆変換装置５を取り外す。なお、上述した発光ダイオードＬＤ１，ＬＤ２を用いた各変換装置の電圧の有無の確認と、図１に示した監視装置１７の表示手段２３に表示された作業手順及び電圧値の表示の確認とをあわせて行うと、より安全な変換装置の着脱作業を行うことができる。なおこの例では、発光ダイオードＬＤｌ，ＬＤ２は変換装置２５内部に設けているが、変換装置２５の外に設けてもよい。
【００３０】
また、図３に示す変換装置２５には、変換器２５の交流端子及び直流端子の主回路（変換回路）への接続部に、コネクタ構造を有する脱着用接続装置ＣＮ１〜５をそれぞれ備けている。これは、例えば逆変換装置５の変換動作が完全に停止し、逆変換装置の交流端子及び直流端子に印加されている電圧が０Ｖとなっても、順変換装置３及び順逆変換装置７により負荷１１への給電は縦続している。この状態で逆変換装置５を無停電電源装置本体から安全且つ容易に取り外すために設けたものである。この脱着用接続装置ＣＮ１〜５は、例えば無停電電源装置本体にプラグを設け、また変換装置にジャックを設け、プラグとジャックとを嵌合させるコネクタ構成を採用することができる。これにより、特別な工具を必要とせず且つ容易に変換装置の着脱を行うことができる。
【００３１】
上記の実施の形態によれば、無停電電源装置の各変換装置の交流端子及び直流端子の電圧値を操作手順を含むガイダンスとともに監視装置に表示するので、各変換装置の交流端子及び直流端子に印加されている電圧値を一目で確認することができる。これにより変換装置の着脱作業のために使用する各種計測機器が必要でなくなり、また各変換装置の着脱作業を安全に行うことができる。
【００３２】
また、各変換装置に交流端子及び直流端子にかかる電圧値の状態を表示する表示部を設けているので、表示手段が消灯している場合のみ変換装置の着脱作業を行えばよく、各変換装置の着脱作業を安全に行うことができる。
【００３３】
さらに、変換器の交流端子及び直流端子の接続部に、コネクタ構造を有する脱着用接続装置をそれぞれ備けているので、変換装置の着脱作業が容易になり且つ迅速に行うことができ、無停電電源装置の復旧時間を短縮することができる。
【００３４】
【発明の効果】
本発明によれば、作業者は監視装置の表示手段の表示を見て、取外す変換装置の交流端子及び直流端子に電圧が印加されているか否かを確認できるので、変換装置を交換する際に、作業者が感電する可能性が大幅に低下する利点があり、保守点検及び修理の際に各変換装置の取外しをより安全に行うことができる
【図面の簡単な説明】
【図１】  本発明の一実施の形態における無停電電源装置の一例の構成を示すブロック図である。
【図２】  図１の実施の形態における無停電電源装置の監視装置の操作手段の表示画面に表示される画面の一例である。
【図３】  変換装置に表示部を設けたときの構成を示すブロック図である。
【符号の説明】
１  交流電源
３  順変換装置
５  逆変換装置
７  順逆変換装置
１３  第１の切換器
１５  第２の切換器
１７  監視装置
ＳＤ  開閉器
ＬＤ  発光ダイオード（表示部）
【図１】
0004540171.tif 000002
【図２】
0004540171.tif 000003
【図３】
0004540171.tif 000004